(57)【要約】      （修正有）【課題】磁石により連結される第１の留め金具と第２の留め金具の係止突起と係止穴の形状を矩形状にすることによって、摩擦抵抗を大きくし、第１の留め金具と第２の留め金具の連結を容易に解除できないようにした靴ベルト用バックルを提供する。【解決手段】靴ベルト用バックル１は、磁石２０，４０により吸着する第１の留め金具１１と第２の留め金具３１とからなる。第１の留め金具１１には、一対の内側係止穴２３，２４と一対の外側係止穴２１，２２が設けられ、第２の留め金具３１には、外側係止穴２１，２２に係止する一対の内側係止突起４１，４２と、内側係止穴２３，２４に係止する一対の外側係止突起４３，４４が設けられている。第２の留め金具の内側係止突起４１，４２は、断面が矩形状の矩形軸で形成され、第１の留め金具の外側係止穴２１，２２は、断面が矩形状の矩形穴で形成されている。【選択図】図３
0003198187.tif 000002
【実用新案登録請求の範囲】
【請求項１】
靴の一方のベルトに取り付けられる第１の留め金具と、靴の他方のベルトに取り付けられる第２の留め金具とからなり、
第１の留め金具及び第２の留め金具は、互いに接触する接触面を有し、当該接触面側の少なくとも一方に、接触面同士を磁力により吸着させる磁石が設けられ、
第１の留め金具は、一方のベルトの取付側に一対の内側係止穴が設けられ、一方のベルトの反取付側に一対の外側係止穴が設けられ、
第２の留め金具は、他方のベルトの取付側に一対の内側係止突起が設けられ、他方のベルトの反取付側に一対の外側係止突起が設けられ、
第２の留め金具は、磁石の磁力により第１の留め金具に吸着させると、一対の内側係止突起が第１の留め金具の一対の外側係止穴に係止し、一対の外側係止突起が第１の留め金具の一対の内側係止穴に係止する靴ベルト用バックルであって、
前記第２の留め金具の内側係止突起は、断面が矩形状の矩形軸で形成され、前記第１の留め金具の外側係止穴は、断面が矩形状の矩形穴で形成されていることを特徴とする靴ベルト用バックル。
【請求項２】
前記第２の留め金具の外側係止突起は、断面が矩形状の矩形軸で形成され、前記第１の留め金具の内側係止穴は、断面が矩形状の矩形穴で形成されていることを特徴とする請求項１記載の靴ベルト用バックル。
【請求項３】
前記第２の留め金具の外側係止突起は、断面が円形状の円形軸で形成され、前記第１の留め金具の内側係止穴は、断面が円形状の円形穴で形成されていることを特徴とする請求項１記載の靴ベルト用バックル。
【請求項４】
前記第２の留め金具の内側係止突起と前記第１の留め金具の外側係止穴は、ベルトの長手方向で面接触し、摩擦抵抗が大きく接触するように形成されていることを特徴とする請求項１、２又は３記載の靴ベルト用バックル。
【請求項５】
前記第１の留め金具及び前記第２の留め金具の接触面側にそれぞれ極性の異なる磁石が設けられ、
第１の留め金具は、磁石を挟んで対向して一対の内側係止穴と一対の外側係止穴が設けられ、
第２の留め金具は、磁石を挟んで対向して一対の内側係止突起と一対の外側係止突起が設けられていることを特徴とする請求項１乃至４のいずれか１項に記載の靴ベルト用バックル。
【考案の詳細な説明】
【技術分野】
【０００１】
本考案は、主にハイヒール等の靴に設けられた靴ベルトに取り付けられて使用される靴ベルト用バックルに関する。
【背景技術】
【０００２】
女性用のハイヒール等の靴には、履いた足が靴から容易に脱げないように、靴と足を固定する靴ベルトが設けられている。特に、ハイヒール等の靴は、足をきれいに見せるため、浅底のものが多く見受けられるが、底が浅いと足が脱げ易いので、靴ベルトは重要なものとなっている。靴ベルトは、靴の外側に取り付けられる第１のベルト（短ベルト）と、靴の内側に取り付けられる第２のベルト（長ベルト）とからなり、靴ベルト用バックルによって第１のベルトと第２のベルトが連結される。
【０００３】
靴ベルト用バックルは、第１のベルトの先部に取り付けられる第１の留め金具と、第２のベルトの先部に取り付けられる第２の留め金具とからなる。第１の留め金具及び第２の留め金具は、互いに接触する接触面を有し、当該接触面側に接触面同士を磁力により吸着させる磁石が設けられている。第１の留め金具は、一対の係止穴が設けられている。第２の留め金具は、一対の係止突起が設けられている。靴ベルト用バックルは、第２の留め金具を、磁石の磁力により第１の留め金具に吸着させると、一対の係止突起が第１の留め金具の一対の係止穴に係止して連結される（例えば、特許文献１）。
【先行技術文献】
【特許文献】
【０００４】
【特許文献１】特開２０１２−１４７９８０号公報
【考案の概要】
【考案が解決しようとする課題】
【０００５】
靴ベルト用バックルは、ベルトの長手方向の引っ張り力には、一対の係止突起が対応し、ベルトの長手方向と略直角の方向、即ち、第１の留め金具と第２の留め金具が離間する方向の力には、磁石の吸着力が対応して、連結が解除されないようになっている。しかし、靴ベルト用バックルは、第１の留め金具に対して第２の留め金具が傾くように力が作用すると、梃子の原理によって、第２の留め金具と第１の留め金具を吸着させる磁力以上の力が作用して、第２の留め金具が第１の留め金具から簡単に外れてしまう場合があるという問題点があった。係る場合、第２の留め金具の一対の係止突起は円軸状に形成され、第１の留め金具の一対の係止穴は円穴状に形成されているので、摩擦抵抗が小さく、係止突起が係止穴から簡単に抜き出てしまい、連結解除の抑制にあまり貢献しないという問題点があった。
【０００６】
本願考案は、上記問題点に鑑み案出したものであって、磁石により連結される第１の留め金具と第２の留め金具の係止突起と係止穴の形状を矩形状にすることによって、摩擦抵抗を大きくし、第１の留め金具と第２の留め金具の連結を容易に解除できないようにした靴ベルト用バックルを提供することを目的とする。
【課題を解決するための手段】
【０００７】
本願請求項１記載の靴ベルト用バックルは、上記目的を達成するため、靴の一方のベルトに取り付けられる第１の留め金具と、靴の他方のベルトに取り付けられる第２の留め金具とからなり、第１の留め金具及び第２の留め金具は、互いに接触する接触面を有し、当該接触面側の少なくとも一方に、接触面同士を磁力により吸着させる磁石が設けられ、第１の留め金具は、一方のベルトの取付側に一対の内側係止穴が設けられ、一方のベルトの反取付側に一対の外側係止穴が設けられ、第２の留め金具は、他方のベルトの取付側に一対の内側係止突起が設けられ、他方のベルトの反取付側に一対の外側係止突起が設けられ、第２の留め金具は、磁石の磁力により第１の留め金具に吸着させると、一対の内側係止突起が第１の留め金具の一対の外側係止穴に係止し、一対の外側係止突起が第１の留め金具の一対の内側係止穴に係止する靴ベルト用バックルであって、前記第２の留め金具の内側係止突起は、断面が矩形状の矩形軸で形成され、前記第１の留め金具の外側係止穴は、断面が矩形状の矩形穴で形成されていることを特徴とする。
【０００８】
本願請求項２記載の靴ベルト用バックルは、上記目的を達成するため、前記第２の留め金具の外側係止突起は、断面が矩形状の矩形軸で形成され、前記第１の留め金具の内側係止穴は、断面が矩形状の矩形穴で形成されていることを特徴とする。
【０００９】
本願請求項３記載の靴ベルト用バックルは、上記目的を達成するため、前記第２の留め金具の外側係止突起は、断面が円形状の円形軸で形成され、前記第１の留め金具の内側係止穴は、断面が円形状の円形穴で形成されていることを特徴とする。
【００１０】
本願請求項４記載の靴ベルト用バックルは、上記目的を達成するため、前記第２の留め金具の内側係止突起と前記第１の留め金具の外側係止穴は、ベルトの長手方向で面接触し、摩擦抵抗が大きく接触するように形成されていることを特徴とする。
【００１１】
本願請求項５記載の靴ベルト用バックルは、上記目的を達成するため、前記第１の留め金具及び前記第２の留め金具の接触面側にそれぞれ極性の異なる磁石が設けられ、第１の留め金具は、磁石を挟んで対向して一対の内側係止穴と一対の外側係止穴が設けられ、第２の留め金具は、磁石を挟んで対向して一対の内側係止突起と一対の外側係止突起が設けられていることを特徴とする。
【考案の効果】
【００１２】
本願考案に係る靴ベルト用バックルは、靴の一方のベルトに取り付けられる第１の留め金具と、靴の他方のベルトに取り付けられる第２の留め金具とからなる。第１の留め金具及び第２の留め金具は、互いに接触する接触面を有し、当該接触面側の少なくとも一方に、接触面同士を磁力により吸着させる磁石が設けられている。第１の留め金具は、一方のベルトの取付側に一対の内側係止穴が設けられ、一方のベルトの反取付側に一対の外側係止穴が設けられている。第２の留め金具は、他方のベルトの取付側に一対の内側係止突起が設けられ、他方のベルトの反取付側に一対の外側係止突起が設けられている。第２の留め金具は、磁石の磁力により第１の留め金具に吸着させると、一対の内側係止突起が第１の留め金具の一対の外側係止穴に係止し、一対の外側係止突起が第１の留め金具の一対の内側係止穴に係止する。前記第２の留め金具の内側係止突起は、断面が矩形状の矩形軸で形成され、前記第１の留め金具の外側係止穴は、断面が矩形状の矩形穴で形成されている。
【００１３】
本願考案に係る靴ベルト用バックルは、第２の留め金具を磁石の磁力により第１の留め金具に吸着させると、一対の内側係止突起が第１の留め金具の一対の外側係止穴に係止し、一対の外側係止突起が第１の留め金具の一対の内側係止穴に係止する。本願考案に係る靴ベルト用バックルは、ベルトの長手方向の引っ張り力には、一対の内側係止突起と一対の外側係止突起が対応し、ベルトの長手方向と略直角の方向、即ち、第１の留め金具と第２の留め金具が離間する方向の力には、磁石の吸着力が対応して、連結が解除されないようになっている。本願考案に係る靴ベルト用バックルは、主に係止穴を有する第１の留め金具が下側（足側）に配置され、係止突起を有する第２の留め金具が上側に配置される。従って、第１の留め金具は、足と第２の留め金具に挟持されて固定されている。第２の留め金具は、先端（他方のベルトの取付側と反対の先端）が後端（他方のベルトの取付側の後端）を支点として傾く場合がある。係る場合、梃子の原理によって、第２の留め金具と第１の留め金具を吸着させる磁力以上の力が作用して、第２の留め金具の先端が第１の留め金具から離間し、第２の留め金具の一対の外側係止突起が第１の留め金具の一対の内側係止穴から抜き出てしまいそうになる。しかし、第２の留め金具の内側係止突起は、断面が矩形状の矩形軸で形成され、第１の留め金具の外側係止穴は、断面が矩形状の矩形穴で形成されているので、第２の留め金具の一対の内側係止突起が第１の留め金具の一対の外側係止穴から摩擦抵抗により抜き出難くなっており、簡単に第２の留め金具が第１の留め金具から外れない。このように、本願考案に係る靴ベルト用バックルは、磁石により連結される第１の留め金具と第２の留め金具の係止突起と係止穴の形状を矩形状にすることによって、摩擦抵抗を大きくし、第１の留め金具と第２の留め金具の連結を容易に解除できないようにすることができるという効果がある。
【００１４】
本願考案に係る靴ベルト用バックルは、前記第２の留め金具の外側係止突起は、断面が矩形状の矩形軸で形成され、前記第１の留め金具の内側係止穴は、断面が矩形状の矩形穴で形成されているので、上記効果に加え、さらに摩擦抵抗が大きくなり、連結をより強くすることができるという効果がある。
【００１５】
本願考案に係る靴ベルト用バックルは、前記第２の留め金具の外側係止突起は、断面が円形状の円形軸で形成され、前記第１の留め金具の内側係止穴は、断面が円形状の円形穴で形成されているので、上記効果に加え、位置合わせを容易にすることができるという効果がある。
【００１６】
本願考案に係る靴ベルト用バックルは、前記第２の留め金具の内側係止突起と前記第１の留め金具の外側係止穴は、ベルトの長手方向で面接触し、摩擦抵抗が大きく接触するように形成されているので、より連結解除がし難くなっているという効果がある。
【００１７】
本願考案に係る靴ベルト用バックルは、前記第１の留め金具及び第２の留め金具の接触面側にそれぞれ極性の異なる磁石が設けられ、第１の留め金具は、磁石を挟んで対向して一対の内側係止穴と一対の外側係止穴が設けられ、第２の留め金具は、磁石を挟んで対向して一対の内側係止突起と一対の外側係止突起が設けられているので、磁石の吸着力を各係止部にバランス良く配分することができるという効果がある。
【図面の簡単な説明】
【００１８】
【図１】本願考案に係る靴ベルト用バックルの第１の留め金具の一つの形態を示す説明図であって、（ａ）が平面図、（ｂ）がＡ−Ａ断面図である。
【図２】前記靴ベルト用バックルの第２の留め金具の一つの形態を示す説明図であって、（ａ）が平面図、（ｂ）がＢ−Ｂ断面図である。
【図３】前記靴ベルト用バックルの連結状態を示す断面図である。
【図４】前記靴ベルト用バックルの動きを説明する断面図である。
【図５】前記ベルト用バックルの使用形態を示す全体図である。
【図６】前記ベルト用バックルの使用形態を示す全体図である。
【考案を実施するための形態】
【００１９】
本願考案に係る靴ベルト用バックルの概要について説明する。図５に示すように、靴ベルト用バックル１は、靴５１の一方のベルト５２に取り付けられる第１の留め金具１１と、靴５１の他方のベルト５３に取り付けられる第２の留め金具３１とからなる。図３に示すように、第１の留め金具１１及び第２の留め金具３１は、互いに接触する接触面１２ａ，３２ａを有し、当該接触面１２ａ，３２ａ側の少なくとも一方に、接触面１２ａ，３２ａ同士を磁力により吸着させる磁石２０，４０が設けられている。
【００２０】
図１に示すように、第１の留め金具１１は、一方のベルト５２の取付側（取付軸１７側）に一対の内側係止穴２３，２４が設けられ、一方のベルト５２の反取付側１２ｃに一対の外側係止穴２１，２２が設けられている。図２に示すように、第２の留め金具３１は、他方のベルト５３の取付側（取付軸３６側）に一対の内側係止突起４１，４２が設けられ、他方のベルト５３の反取付側３２ｄに一対の外側係止突起４３，４４が設けられている。
【００２１】
図３に示すように、第２の留め金具３１は、磁石２０，４０の磁力により第１の留め金具１１に吸着させると、一対の内側係止突起４１，４２が第１の留め金具１１の一対の外側係止穴２１，２２に係止し、一対の外側係止突起４３，４４が第１の留め金具１１の一対の内側係止穴２３，２４に係止する。前記第２の留め金具３１の内側係止突起４１，４２は、断面が矩形状の矩形軸で形成され、前記第１の留め金具１１の外側係止穴２１，２２は、断面が矩形状の矩形穴で形成されている。
【００２２】
このように、靴ベルト用バックル１は、第２の留め金具３１を磁石２０，４０の磁力により第１の留め金具１１に吸着させると、一対の内側係止突起４１，４２が第１の留め金具１１の一対の外側係止穴２１，２２に係止し、一対の外側係止突起４３，４４が第１の留め金具１１の一対の内側係止穴２３，２４に係止する。
【００２３】
靴ベルト用バックル１は、ベルト５２，５３の長手方向の引っ張り力には、一対の内側係止突起４１，４２と一対の外側係止突起４３，４４が対応し、ベルト５２，５３の長手方向と略直角の方向、即ち、第１の留め金具１１と第２の留め金具３１が離間する方向の力には、磁石２０，４０の吸着力が対応して、連結が解除されないようになっている。靴ベルト用バックル１は、主に係止穴２１〜２４を有する第１の留め金具１１が下側（足側）に配置され、係止突起４１〜４４を有する第２の留め金具３１が上側に配置される。従って、第１の留め金具１１は、足と第２の留め金具３１に挟持されて固定されている。
【００２４】
図４に示すように、第２の留め金具３１は、留め金具本体３２の先端３２ｄ（他方のベルト５３の取付側３６と反対の先端）が後端３２ｃ（他方のベルト５３の取付側３６の後端）を支点として傾く場合がある。係る場合、梃子の原理によって、第２の留め金具３１と第１の留め金具１１を吸着させる磁力以上の力が作用して、第２の留め金具３１の先端３２ｄが第１の留め金具１１から離間し、第２の留め金具３１の一対の外側係止突起４３，４４が第１の留め金具１１の一対の内側係止穴２３，２４から抜き出てしまいそうになる。
【００２５】
しかし、第２の留め金具３１の内側係止突起４１，４２は、断面が矩形状の矩形軸で形成され、第１の留め金具１１の外側係止穴２１，２２は、断面が矩形状の矩形穴で形成されているので、第２の留め金具３１の一対の内側係止突起４１，４２が第１の留め金具１１の一対の外側係止穴２１，２２から摩擦抵抗により抜き出難くなっており、簡単に第２の留め金具３１が第１の留め金具１１から外れない。
【００２６】
このように、靴ベルト用バックル１は、磁石２０，４０により連結される第１の留め金具１１と第２の留め金具３１の係止突起４１，４２と係止穴２１，２２の形状を矩形状にすることによって、摩擦抵抗を大きくし、第１の留め金具１１と第２の留め金具３１の連結を容易に解除できないようにすることができる。
【００２７】
なお、靴ベルト用バックル１は、前記第２の留め金具３１の外側係止突起４３，４４を、内側係止突起４１，４２と同様に、断面が矩形状の矩形軸で形成し、前記第１の留め金具１１の内側係止穴２３，２４を、外側係止穴２１，２２と同様に、断面が矩形状の矩形穴で形成すると、さらに摩擦抵抗が大きくなり、連結をより強くすることができる。
【００２８】
靴ベルト用バックル１は、前記第２の留め金具３１の外側係止突起４３，４４を、断面が円形状の円形軸で形成し、前記第１の留め金具１１の内側係止穴２３，２４を、断面が円形状の円形穴で形成すると、位置合わせを容易にすることができる。
【００２９】
靴ベルト用バックル１は、前記第２の留め金具３１の内側係止突起４１，４２と前記第１の留め金具１１の外側係止穴２１，２２が、ベルトの長手方向で面接触し、摩擦抵抗が大きく接触するように形成されているので、より連結解除がし難くなっている。
【００３０】
靴ベルト用バックル１は、図１，２に示すように、前記第１の留め金具１１及び第２の留め金具３１の接触面側にそれぞれ極性の異なる磁石２０，４０が設けられている。第１の留め金具１１は、磁石２０を挟んで対向して一対の内側係止穴２３，２４と一対の外側係止穴２１，２２が設けられている。第２の留め金具３１は、磁石４０を挟んで対向して一対の内側係止突起４１，４２と一対の外側係止突起４３，４４が設けられている。靴ベルト用バックル１は、磁石２０，４０の吸着力を各係止部４１〜４４にバランス良く配分することができる。
【００３１】
さらに靴ベルト用バックルについて詳細に説明する。図３に示すように、靴ベルト用バックル１は、第１の留め金具１１と第２の留め金具３１とからなる。図１に示すように、第１の留め金具１１は、強磁性体の金属で形成され、平板状の留め金具本体１２と、留め金具本体１２の後端１２ｃ中央に形成された半円状の凹部１３と、留め金具本体１２の前端１２ｄ両側に形成された略コ字状の取付部１５とからなる。取付部１５は、一対のアーム１６，１６と、一対のアーム１６，１６の先端に形成された取付軸１７とからなる。
【００３２】
留め金具本体１２の一方の面（上面）１２ａの略中央には、矩形状の凹部１８が形成され、当該凹部１８に平板状の磁石２０が取り付けられている。留め金具本体１２の一方の面（上面）１２ａの後部には、外側係止穴２１，２２が形成され、留め金具本体１２の一方の面（上面）１２ａの前部には、内側係止穴２３，２４が形成されている。外側係止穴２１と２２は、前後方向（Ｘ方向）と略直角の左右方向（Ｙ方向）に配置され、内側係止穴２３，２４も、前後方向（Ｘ方向）と略直角の左右方向（Ｙ方向）に配置されている。外側係止穴２１，２２と内側係止穴２３，２４は、磁石２０を挟んで対向して設けられている。
【００３３】
外側係止穴２１，２２は、断面が矩形（長方形）状の矩形穴であって、長辺が左右方向（Ｙ方向）に向かっており、短辺が前後方向（Ｘ方向）に向かっている。内側係止穴２３，２４は、断面が円形状の円形穴であるが、外側係止穴２１，２２と同様に、断面が矩形（長方形）状の矩形穴であっても構わない。
【００３４】
図２に示すように、第２の留め金具３１は、第１の留め金具１１と同様に、強磁性体の金属で形成され、平板状の留め金具本体３２と、留め金具本体３２の後端３２ｃ中央に形成された半円状の凹部３３と、留め金具本体３２の後端３２ｃ両側に形成された略コ字状の取付枠３４と、留め金具本体３２の前端３２ｄ両側に形成された略コ字状のガイド枠３５とからなる。前記半円状の凹部３３は、開放端側が狭くなっており、取付軸３６を回動可能に取り付けている。取付軸３６は、後部３７が環状に折り曲げられて凹部３３内に圧入されて回動可能に取り付けられ、先部３８が取付枠３４の一側に係合するようになっている。取付軸３６は、ベルトの穴に係合して、ベルトがずれないようにするためのものであり、留め金具本体３２の後端３２ｃ中央に突設固定して形成しても構わない。
【００３５】
留め金具本体３２の一方の面（下面）３２ａの略中央には、矩形状の凹部３９が形成され、当該凹部３９に平板状の磁石４０が取り付けられている。なお、磁石４０は、前記した磁石２０と極性が異なり、磁石２０と吸着するようになっている。留め金具本体３２の一方の面（下面）３２ａの後部には、内側係止突起４１，４２が形成され、留め金具本体３２の一方の面（下面）３２ａの前部には、外側係止突起４３，４４が形成されている。内側係止突起４１と４２は、前後方向（Ｘ方向）と略直角の左右方向（Ｙ方向）に配置され、外側係止突起４３，４４も、前後方向（Ｘ方向）と略直角の左右方向（Ｙ方向）に配置されている。内側係止突起４１，４２と外側係止突起４３，４４は、磁石４０を挟んで対向して設けられている。
【００３６】
内側係止突起４１，４２は、断面が矩形（長方形）状の矩形軸であって、長辺が左右方向（Ｙ方向）に向かっており、短辺が前後方向（Ｘ方向）に向かっている。外側係止突起４３，４４は、断面が円形状の円形軸であるが、内側係止突起４１，４２と同様に、断面が矩形（長方形）状の矩形軸であっても構わない。
【００３７】
次に靴ベルト用バックルの使用について説明する。図５に示すように、第１の留め金具１１は、ハイヒール等の靴５１の短い方の短ベルト５２の先端に縫製により取り付けられる。即ち、図３に示すように、第１の留め金具１１は、一方の面（上面）１２ａを上向きにして、取付部１５の取付軸１７に短ベルト５２の先端を縫製して連結して取り付けられる。第１の留め金具１１の他方の面（下面）１２ｂが、足側の接触面となる。
【００３８】
図５に示すように、第２の留め金具３１は、靴５１の長い方の長ベルト５３の先部５３ａに、ベルト穴５５と取付軸３６の係合により取り付けられる。即ち、図３に示すように、第２の留め金具３１は、一方の面（下面）３２ａを下向きにして、長ベルト５３の先部５３ａを留め金具本体３２の後端３２ｃに形成された取付枠３４内に下側から通し、留め金具本体３２の他方の面３２ｂ側に接触させるようにして、留め金具本体３２の前端３２ｄに形成されたガイド枠３５内に上側から通し、ベルト穴５５に取付軸３６を係合して、長ベルト５３に取り付けられる。第２の留め金具３１は、取付軸３６が係合するベルト穴５５に位置により、長ベルト５３の長さを調節することができる。
【００３９】
靴ベルト用バックル１は、第２の留め金具３１の一方の面（下面）３２ａを第１の留め金具１１の一方の面（上面）１２ａに重ねると、留め金具本体１２の磁石２０と留め金具本体３２の磁石４０が磁力により引き合い、第２の留め金具３１の一方の面（下面）３２ａと第１の留め金具１１の一方の面（上面）１２ａが強固に連結する。
【００４０】
第２の留め金具３１の取付軸３６の後部３７は、第１の留め金具１１の半円状の凹部１３に収納可能となっている。第２の留め金具３１の一対の内側係止突起４１，４２が第１の留め金具１１の一対の外側係止穴２１，２２に挿入して係止され、第２の留め金具３１の一対の外側係止突起４３，４４が第１の留め金具１１の一対の内側係止穴２３，２４に挿入して係止される。
【００４１】
靴ベルト用バックル１は、第１の留め金具１１が動けないが、第２の留め金具３１が動くことができる。即ち、第１の留め金具１１は、足と第２の留め金具３１に挟まれて固定されているので、第２の留め金具３１から離間する方向に動くことができない。靴ベルト用バックル１は、ベルト５２，５３の長手方向に力が作用した場合、第２の留め金具３１の内側係止突起４１，４２が第１の留め金具１１の外側係止穴２１，２２に係止され、第２の留め金具３１の外側係止突起４３，４４が第１の留め金具１１の内側係止穴２３，２４に係止されているので、第２の留め金具３１が第１の留め金具１１から外れることがない。靴ベルト用バックル１は、ベルト５２，５３の長手方向と略直角の方向に力が作用した場合、磁石２０と４０の吸着力により、第２の留め金具３１が第１の留め金具１１から外れ難い。
【００４２】
又、図４に示すように、靴ベルト用バックル１は、第２の留め金具３１が第１の留め金具１１に対して傾く方向に力が作用しても外れ難い構成となっている。即ち、靴ベルト用バックル１は、長ベルト５３の先部５３ａが自由状態なので、第２の留め金具３１の前端３２ｄ側が後端３２ｃ側を支点として上方（第１の留め金具１１から離間する方向）に傾き易い。係る場合、第２の留め金具３１の外側係止突起４３，４４が第１の留め金具１１の内側係止穴２３，２４から引き出される。
【００４３】
しかし、第２の留め金具３１の内側係止突起４１，４２は、外側係止突起４３，４４より支点側（後端３２ｃ側）に位置しているの、外側係止突起４３，４４より動きが小さく、第１の留め金具１１の外側係止穴２１，２２から引き出され難い。しかも、第２の留め金具３１の内側係止突起４１，４２と第１の留め金具１１の外側係止穴２１，２２は、断面形状が矩形状になっているので、内側係止突起４１，４２と外側係止穴２１，２２との面接触による摩擦抵抗が大きく、より一層、内側係止突起４１，４２が外側係止穴２１，２２から引き出され難い。このように、第２の留め金具３１の内側係止突起４１，４２が第１の留め金具１１の外側係止穴２１，２２から引き出され難い構成となっているので、第２の留め金具３１が傾いても第１の留め金具１１から簡単に外れることがない。
【００４４】
上記実施の形態では、第１の留め金具１１及び第２の留め金具３１は、強磁性体で形成されているので、留め金具本体１２又は留め金具本体３２のどちか一方に磁石が設けられていれば、その一方の磁石によって互いに吸着し合い、留め金具本体１２及び留め金具本体３２の両方に磁石を設けなくても良い。また、第１の留め金具１１及び第２の留め金具３１は、留め金具本体１２及び留め金具本体３２の両方に設けられた磁石同士で互いに吸着し合うので、非磁性体で形成しても構わない。
【産業上の利用可能性】
【００４５】
本願考案は、ハイヒール等の靴に設けられたベルトを連結する靴ベルト用バックルに利用可能である。
【符号の説明】
【００４６】
１  靴ベルト用バックル
１１  第１の留め金具
１２  留め金具本体
１２ａ  一方の面（上面  接触面）
１２ｂ  他方の面（下面）
１２ｃ  後端（反取付側）
１２ｄ  前端
１３  凹部
１５  取付部
１６  アーム
１７  取付軸
１８  凹部
２０  磁石
２１  外側係止穴
２２  外側係止穴
２３  内側係止穴
２４  内側係止穴
３１  第２の留め金具
３２  留め金具本体
３２ａ  一方の面（下面  接触面）
３２ｂ  他方の面
３２ｃ  後端
３２ｄ  前端（反取付側）
３３  凹部
３４  取付枠
３５  ガイド枠
３６  取付軸
３７  後部
３８  先部
３９  凹部
４０  磁石
４１  内側係止突起
４２  内側係止突起
４３  外側係止突起
４４  外側係止突起
５１  靴
５２  短ベルト（一方のベルト）
５３  長ベルト（他方のベルト）
５３ａ  先部
５５  ベルト穴
【図１】
0003198187.tif 000003
【図２】
0003198187.tif 000004
【図３】
0003198187.tif 000005
【図４】
0003198187.tif 000006
【図５】
0003198187.tif 000007
【図６】
0003198187.tif 000008